(57)【特許請求の範囲】
【請求項１】
ブランクを有する釣竿本体が支持されるバット本体を備え、当該バット本体の後端部にロープが連結され得る連結構造が形成されており、
当該連結構造は、
上記バット本体の後端部に円筒部を有するフレームが嵌め込まれ、当該フレームの円筒部によって当該バット本体の後端面に開口が形成されると共に当該開口に連続して当該バット本体の内部に凹部が区画形成されており、且つ上記円筒部に設けられた一対の挿通孔に掛け渡されることによって上記バット本体の径方向に沿って延びる連結バーが配置されているバット。
【請求項２】
上記連結バーは、上記バット本体の中心を通って上記径方向に延びる仮想中心線に平行に配置され且つ所定距離だけ離隔した仮想配置線に沿って配置されている請求項１に記載のバット。
【請求項３】
上記バット本体の後端部に上記開口の周縁部を被覆すると共に上記バット本体の外面と滑らかに連続するキャップが設けられている請求項１又は２に記載のバット。
【請求項４】
請求項１から３のいずれかに記載のバットと、
上記バット本体に支持された釣竿本体とを有するフィッシングロッド。
【発明の詳細な説明】
【技術分野】
【０００１】
この発明は、フィッシングロッド（釣竿）の構造、詳細にはフィッシングロッドに採用されるバットの構造に関するものである。
【背景技術】
【０００２】
釣人は、フィッシングロッドを使用して釣りを行うのが一般的である。釣人は、フィッシングロッドを把持し操作することにより、道糸や仕掛けを操ると共にヒットした魚を引き寄せて取り込む。
【０００３】
ところで、船や磯からの釣りでは、風、波、潮その他の要因の影響により道糸が引っ張られた結果、フィッシングロッドが落水するおそれがある。そのため、従来のフィッシングロッドは、バットに尻手リングが搭載されているものがある（特許文献１及び非特許文献１参照）。この尻手リングにロープ等が連結されることにより、フィッシングロッドが万一落水した場合であっても、釣人は、落水したフィッシングロッドを容易に回収することができる。
【０００４】
一般的にライトタックルの場合は、フィッシングロッドに簡易式の尻手リングが装着される。具体的には、尻栓の後端に円柱状のアンカーが突設され、このアンカーの側面に貫通孔が開けられる（非特許文献１参照）。尻手リングは略Ｃ字状に形成されており、当該尻手リングの両端が上記アンカーを両側から挟み込むように上記貫通孔に差し込まれている。
【先行技術文献】
【特許文献】
【０００５】
【特許文献１】特開２００９−２４０２８３号公報
【非特許文献１】2010シマノフィッシングタックルカタログｐ131
【発明の概要】
【発明が解決しようとする課題】
【０００６】
しかし、従来のライトタックル用のフィッシングロッドでは、尻手リングが尻栓の後端から突出しているので、当該尻手リングや上記アンカーが釣人の衣服に引っ掛かったりすることがあり、フィッシングロッドの操作が阻害されることがあった。また、フィッシングロッドの動きに応じて揺動した尻手リングがアンカーに衝突し、カタカタという不快な異音が発生することがあった。さらに、フィッシングロッドの外部に露出したアンカーや尻手リングは海水等によって腐食されやすいし、外部からの衝撃により傷つき易い。アンカーや尻手リングが腐食等した場合は、これらの強度が低下すると共に見栄えが悪くなる。加えて、尻手リングはＣ字状に曲げられて上記アンカーに差し込まれているだけであるから、尻手リングに引張力が作用した場合に、尻手リングがアンカーから外れてしまうことがあった。
【０００７】
本発明はかかる背景のもとになされたものであって、その目的は、ロッドアクションの妨げにならないように尻手ロープ等を確実に連結する構造を備えたバット及びフィッシングロッドを提供することである。
【課題を解決するための手段】
【０００８】
(1) 本発明に係るバットは、ブランクを有する釣竿本体が支持されるバット本体を備え、当該バット本体の後端部にロープが連結され得る連結構造が形成されている。当該連結構造は、上記バット本体の後端部に円筒部を有するフレームが嵌め込まれ、当該フレームの円筒部によって当該バット本体の後端面に開口が形成されると共に当該開口に連続して当該バット本体の内部に凹部が区画形成されている。さらに、上記円筒部に設けられた一対の挿通孔に掛け渡されることによって上記バット本体の径方向に沿って延びる連結バーが配置されている
【０００９】
この構成によれば、バット本体の後端面の開口を通じて連結バーが露出している。この連結バーにロープ等が連結されることにより、実釣においてフィッシングロッドが保持され、万一フィッシングロッドが落水したとしても、釣人はロープを手繰り寄せることによりフィッシングロッドを回収することができる。連結バーは、上記凹部の内側に配置されているのでバットの外部に突出せず、したがって、ロッドアクションの妨げになることはない。同様の理由により、連結バーは、他の部材（栓体や釣人の身体等）と接触ないし衝突することが少なく、損傷を受けたり、海水等により腐食しにくい。また、連結バーは、従来の尻手リングのように揺れ動くことがないので、不快な異音を発生させることもない。さらに、連結バーは、上記凹部内で径方向に延びるように配置されているから、従来の尻手リングと比較して引張力が作用しても外れにくい。
【００１０】
上記フレームの円筒部により上記凹部が区画されるから、上記フレームが別部品として加工されることにより、上記バット本体に上記凹部を精度良く加工する必要はない。また、上記円筒部によって上記凹部が区画されるため、上記連結構造の製造が容易であると共に、当該連結構造の剛性が向上する。この連結構造は、たとえば次の要領で組み立てられる。バット本体の後端部に上記フレームを嵌め込むことが可能な保持部が形成される。上記フレームの円筒部の少なくとも一方の端面は開放されており、対向する一対の挿通孔が上記円筒部の周壁に設けられている。一対の挿通孔に連結バーが挿入されて、連結バーは、一対の挿通孔に掛け渡された状態となる。連結バーの両端は、任意の方法で挿通孔にそれぞれ固定される。連結バーが上記円筒部に取り付けられると、当該円筒部の開放端がバット本体の後端側に位置するように上記保持部に嵌め込まれて固定される。上記開口を通じて上記円筒部の内部空間が外部と連通するので、ロープ等を連結バーに連結することが可能となる。
【００１１】
(2) 本発明に係るバットにおいて、上記連結バーは、上記バット本体の中心を通って上記径方向に延びる仮想中心線に平行に配置され且つ所定距離だけ離隔した仮想配置線に沿って配置されているものであってもよい。
【００１２】
この構成では、連結バーが仮想中心線からオフセットされているため、バット本体の断面において、上記連結バーを挟んで面積の大きな第１領域と小さな第２領域とに区分される。ロープ等を連結バーに連結する作業の際、通常はロープの先端にフック等が設けられ、このフックが等が連結バーに係合される。フックは、上記開口から上記凹部内に挿入され、上記面積が大きい第１領域側から連結バーに引っ掛けられる。このように、連結バーがオフセットされることにより、上記ロープ等を連結バーに係合する作業が容易になる。
【００１３】
(3) 本発明に係るバットは、上記バット本体の後端部に上記開口の周縁部を被覆すると共に上記バット本体の外面と滑らかに連続するキャップが設けられているものであってもよい。
【００１４】
釣りの際中や釣場の移動中において、釣人の不注意によりフィッシングロッドが周囲の岩場等に接触することがある。特に、バットの後端部は周囲の岩場等に接触する頻度が高く、傷がつきやすい。この構成では、バット本体における後端部の開口周縁がキャップにより覆われるため、バットの後端部が保護される。また、キャップが損傷を受けたとしても、当該キャップは容易に交換可能である。
【００１５】
(4) 上記バット本体にブランクを有する釣竿本体が支持されることによってフィッシングロッドが構成され得る。この場合、釣竿本体は、バット本体に着脱自在に支持されてもよいし、バット本体に一体的に設けられてもよい。
【発明の効果】
【００１６】
この発明によれば、フィッシングロッドが落水した場合であっても、迅速に回収することができる。また、連結バーが揺れ動くことはないので、異音を発生させることはない。さらに、連結バーは、バットの外部に突出していないので、ロッドアクションを妨げることはない。同様の理由により、連結バーは、衝撃により損傷を受けることが少なく、腐食により劣化しにくい。加えて、連結バーは、湾曲されて取り付けられていないため、引張力により外れにくい。
【図面の簡単な説明】
【００１７】
【図１】図１は、本発明の一実施形態に係るフィッシングロッドの正面図である。
【図２】図２は、本発明の一実施形態に係るバットの断面図である。
【図３】図３は、本発明の一実施形態に係るバットの後端部周辺の断面図である。
【図４】図４は、本発明の一実施形態に係るバットを後端側から見た拡大図である。
【図５】図５は、本発明の一実施形態に係るバットにロープを連結する際に使用されるフックの正面図である。
【発明を実施するための形態】
【００１８】
以下、本発明の好ましい実施形態が、適宜図面が参照されながら説明される。
【００１９】
［フィッシングロッドの概略構成と特徴点］
【００２０】
図１は、本発明の一実施形態に係るフィッシングロッド３０の正面図である。
【００２１】
このフィッシングロッド３０は、たとえば船釣りの際に使用されるものであって、バット３１と釣竿本体３２とを備えている。バット３１は、リールシート３９を備えている。このリールシート３９は、図示されていない釣用リール（以下、単に「リール」と称される。）を保持すると共に、釣竿本体３２を後述のように支持することができるようになっている。本実施形態に係るフィッシングロッド３０の特徴とするところは、バット３１の構造にあり、具体的には、バット３１に後述の連結構造８０が形成されている点である。
【００２２】
［釣竿本体］
【００２３】
釣竿本体３２は、細長円筒状に形成されたブランク３４と、ブランク３４の後端部３５に装着されたフェルール３６と、フェルール３６をバット３１に固定するためのナット３７と、ブランク３４に設けられたフロントグリップ３８とを有する。本実施形態では、ブランク３４は単一の部材である。したがって、釣竿本体３２はいわゆるワンピースタイプであって、長手方向の所定の位置にラインガイド（不図示）が固定されている。もっとも、ブランク３４は、複数の部材が所要の継手構造を介して連結されることにより構成されていてもよい。なお、ブランク３４は典型的には炭素繊維強化樹脂から構成され、いわゆるプリプレグがマンドレルに巻回され焼成される。
【００２４】
［バット］
【００２５】
図１及び図２が示すように、バット３１は、バット本体６０と、バット本体６０に設けられたリールシート３９とを有する。また、バット本体６０の後端部には後述の連結構造８０（図３参照）が形成されている。図１が示すように、バット３１は釣竿本体３２をいわゆる片持ち状に支持する。具体的には、釣竿本体３２に設けられたフェルール３６がバット本体６０に対して軸方向４１に沿って挿入される。そして、ナット３７がリールシート本体４５に螺合し締め付けられることによって、釣竿本体３２がバット３１に固定される。なお、本実施形態にかかるフィッシングロッド３０は、バット３１と釣竿本体３２とが別部品として構成され、釣竿本体３２がバット３１に着脱自在となっているが、釣竿本体３２の後端部に連続してバット３１が形成されていてもよい。
【００２６】
［バット本体］
【００２７】
図２が示すように、バット本体６０は、メインパイプ６２と、第１グリップ６３及び第２グリップ６４とを備えている。
【００２８】
メインパイプ６２は、樹脂又は金属からなり、円筒状に形成されている。典型的には、メインパイプ６２は、ブランク３４と同様に炭素繊維強化樹脂から構成され、いわゆるプリプレグがマンドレルに巻回され焼成される。本実施形態では、メインパイプ６２は、前パイプ６５と後パイプ６６とに分割されており、前パイプ６５の後端部に係合ピン６７が配設されている。この係合ピン６７は、上記フェルール３６（図１参照）に設けられた溝と係合し、バット本体６０に対して釣竿本体３２を位置決めする。
【００２９】
第１グリップ６３は、メイングリップ６８とサブグリップ６９とを有する。これらは円筒状に形成されており、金属、樹脂、ゴム等から構成され得る。本実施形態では、金属から構成されている。メイングリップ６８及びサブグリップ６９は、円筒状のスリーブ７０を介して後パイプ６６に外嵌されている。このスリーブ７０も金属又は樹脂等から構成され得る。第１グリップ６３の外径は、釣人が握りやすい寸法に設定されている。本実施形態では、第１グリップ６３がメイングリップ６８とサブグリップ６９とに分割されているが、両者が一体的に形成されていてもよい。本実施形態では、メイングリップ６８の後端部に化粧リング７１が配設されている。この化粧リング７１も円筒状に形成されており、金属又は樹脂から構成され得る。化粧リング７１は、上記スリーブ７０とメイングリップ６８との隙間に挿通されており、メイングリップ６８の後端部を装飾する。もっとも、化粧リング７１及びスリーブ７０が省略されてもよい。
【００３０】
第２グリップ６４は、第１グリップ６３の軸方向４１における後端側に配置されている。本実施形態では、第２グリップ６４は第１グリップ６３と別部材として構成され、両者が互いに離反し後パイプ６６の一部が露出している。もっとも、第２グリップ６４が第１グリップ６３と連続して一体的に形成されていてもよい。第２グリップ６４は、外装部材７２を有する。外装部材７２は円筒状に形成されている。外装部材７２の外径は、後端７４に向かって漸次大きくなっている。
【００３１】
外装部材７２は、後パイプ６６の後端部に外嵌されている。本実施形態では、外装部材７２の先端部にも化粧リング６１が配設されている。この化粧リング６１も上記化粧リング７１と同様に円筒状に形成されており、金属又は樹脂から構成され得る。化粧リング６１は、外装部材７２と後パイプ６６との隙間に挿通されており、外装部材７２の先端部を装飾すると共に、外装部材７２の位置決めを行う。また、外装部材７２の内部において、後パイプ６６は、後端側に向かって外径を細くする段差を有し、この段差部分によっても外装部材７２の位置決めが行われる。
【００３２】
［連結構造８０］
【００３３】
図３が示すように、連結構造８０は、バット本体６０の後端部に形成されている。図３、図４が示すように、本実施形態において、連結構造８０は、バット本体６０の後端部に嵌め込まれたエンドプラグ８１（特許請求の範囲に記載された「フレーム」に相当）と、当該エンドプラグ８１の内部空間８５において、バット本体６０の径方向に沿って延びる連結バー８８とによって形成されている。
【００３４】
［エンドプラグ８１］
【００３５】
エンドプラグ８１は、主としてアルミニウム合金等の金属から形成される。もっとも、エンドプラグ８１を構成する材料は、金属のほか樹脂等も採用され得る。エンドプラグ８１は、全体として両端が開放された円筒状に形成されており、第１円筒部８２、第２円筒部８３及び第３円筒部８６とを備えている。これらは、同図が示すように一体的に形成されている。
【００３６】
エンドプラグ８１は、上記外装部材７２に嵌め込まれている。外装部材７２の後端部に収容室７３が形成されており、エンドプラグ８１は、収容室７３に軸方向４１に沿って嵌め込まれている。具体的には、エンドプラグ８１は、第３円筒部８６を先頭にして収容室７３に挿入され、第１円筒部８２が収容室７３に嵌め込まれる。収容室７３の内径は、第１円筒部８２の外径に対応しており、これにより、第１円筒部８２は収容室７３に確実に保持される。また、第１円筒部８２と第２円筒部８３との境界にフランジ８４が形成されている。このフランジ８４は、外装部材７２の後端７４に当接し、エンドプラグ８１を外装部材７２に対して位置決めする。
【００３７】
第３円筒部８６の外径は、上記後パイプ６６の後端部の内径に対応している。したがって、第３円筒部８６は、後パイプ６６と嵌合し確実に保持される。また、第２円筒部８３は、同図が示すように外装部材７２から軸方向４１に突出している。第２円筒部８３の内径は、第１円筒部８２の内径と一致している。第２円筒部８３の外周面に周方向に沿って延びる凸条８９が形成されている。この凸条８９は、後述されるエンドキャップ９０（特許請求の範囲に記載された「キャップ」に相当）と係合するようになっている。第２円筒部８３の後端側の端面は開放され、開口９２が形成されている。上記内部空間８５は、開口９２に連通して第１円筒部８２の先端側の端部まで連続している。
【００３８】
［連結バー８８］
【００３９】
図３及び図４が示すように、連結バー８８は、真直な棒状に形成されており、上記内部空間８５に配置されている。連結バー８８は、主としてアルミニウム合金等の金属から形成されるが、所要の機械的強度が確保されるならば、樹脂その他の材料も採用され得る。連結バー８８は、第２円筒部８３に設けられており、当該第２円筒部８３の径方向に沿って配置されている。第２円筒部８３の内壁面に、対向する一対の挿通孔８７が設けられている。連結バー８８の両端部は、これら一対の挿通孔８７に挿入されており、連結バー８８は、一対の挿通孔８７間に掛け渡された状態となっている。もっとも、連結バー８８は、第１円筒部８２に支持されていてもよく、要するに、上記内部空間８５内に配置されていればよい。
【００４０】
本実施形態では、連結バー８８は、バット本体６０の中心からずれた位置に配置されている。すなわち、図４が示すように、連結バー８８は、仮想中心線４２（バット本体６０の中心を通り、バット本体６０の径方向に延びる仮想線）から離隔距離４４（特許請求の範囲に記載された「所定距離」に相当）だけ離れた仮想配置線４３に沿って配置されている。この仮想配置線４３は、仮想中心線４２に対して平行に且つバット本体６０の径方向に離隔距離４４だけ離隔した位置に想定される仮想直線である。即ち、連結バー８８は、バット本体６０の中心に対して離隔距離４４だけオフセットされている。連結バー８８が仮想中心線４２からオフセットされていることで、後述されるロープ１０の連結作業が容易に行われる。
【００４１】
エンドキャップ９０は、第２円筒部８３に外嵌されている。エンドキャップ９０は、主にゴム等に代表される弾性を有した部材で形成される。エンドキャップ９０は、リング状に形成されており、その内周面に周方向に沿って延びる凹条９１が形成されている（図３参照）。エンドキャップ９０が第２円筒部８３に嵌め合わされると、第２円筒部８３の凸条８９とエンドキャップ９０の凹条９１とが嵌合する。これにより、エンドキャップ９０は、第２円筒部８３に確実に係合する。エンドキャップ９０の内径は第２円筒部８３の開口９２の内径に対応されており、上記内部空間８５が上記開口９２を通じて外部と連通している。なお、エンドキャップ９０の後端側角部は、面取加工がなされている。
【００４２】
［リールシート３９］
【００４３】
図１及び図２が示すように、リールシート３９は、リールシート本体４５と、可動フード４９と、ナット５０及びロックナット５１とを備えている。このリールシート３９は、リールシート本体４５と可動フード４９とによってリールの脚をホールドすることができると共に、釣竿本体３２のフェルール３６を確実に保持して釣竿本体３２をバット３１に強固に固定する。
【００４４】
リールシート本体４５は、円筒状に形成されており、金属又は樹脂等から構成されている。リールシート本体４５の外周面の一部によってシート面５２が形成されている。このシート面５２にリールの脚が安定的に載置される。リールシート本体４５の外周面に雄ねじ５４が形成されている。上記ナット３７、ナット５０及びロックナット５１は、この雄ねじ５４に螺合するようになっている。
【００４５】
リールシート本体４５の軸方向４１の後端側に固定フード４８が設けられている。この固定フード４８も金属からなり、本実施形態では、リールシート本体４５と一体的に形成されている。固定フード４８はリング状に形成されており、内部に脚収容凹部が設けられている。この脚収容凹部にリールの脚の一方側が収容され、保持される。また、リールシート本体４５の他端側に可動フード４９が設けられている。この可動フード４９も金属からなる。
【００４６】
可動フード４９も固定フード４８と同様にリング状に形成されており、内部に脚収容部が設けられている。可動フード４９は、リールシート本体４５と嵌合しており、軸方向４１に沿ってスライドすることが可能である。リールシート本体４５にリールが載置された状態で可動フード４９が固定フード４８側へスライドされることにより、可動フード４９及び固定フード４８に設けられた脚収容凹部にリールの脚が収容され、保持される。
【００４７】
ナット５０は、可動フード４９と並んで設けられている。上述のように、ナット５０は、リールシート本体４５の雄ねじ５４に螺合している。ナット５０が締め付けられると当該ナット５０が可動フード４９の端面を押し、可動フード４９は軸方向４１に沿って固定フード４８側にスライドする。その結果、リールの脚は、固定フード４８及び可動フード４９によって挟持され、リールは、リールシート本体４５上に固定される。そして、ロックナット５１は、上記雄ねじ５４に螺合しナット５０に並設されている。ロックナット５１が締め付けられることにより、ナット５０が固定される。
【００４８】
［フィッシングロッド３０の使用態様］
【００４９】
実釣に先だってバット３１に釣竿本体３２が装着される。具体的には、バット本体６０に釣竿本体３２のフェルール３６が挿入され、ナット３７がバット３１のリールシート本体４５にねじ込まれる。これにより、バット３１に釣竿本体３２が固定され、フィッシングロッド３０が組み立てられる。このフィッシングロッド３０では、バット本体６０に連結構造８０が形成されているから、連結構造８０にロープ等が連結され得る。
【００５０】
連結構造８０にロープ等が連結される場合、連結構造８０は所定の留め具等を介してロープ等と連結されるのが好ましい。本実施形態においては、留め具として略Ｊ字状のフック２０が使用される。
【００５１】
［フック２０］
【００５２】
図５が示すように、フック２０は、フック本体２１と、固定用レバー２２と、ロープ接続部２３とを備える。フック本体２１は略Ｊ字状に形成されている。フック本体２１の基端に固定用レバー２２が設けられている。固定用レバー２２は、基端側を中心に回動可能となっており、バネ等によってフック本体２１の先端に外向きに弾性付勢されている。したがって、所定値以上の力によって固定用レバー２２がフック２０の内側に向けて押圧されると、固定用レバー２２は、付勢された方向とは反対の方向に回動し、フック本体２１は、一時的に開放された状態となる。ロープ接続部２３は、リング状に形成されており、ロープ１０の先端は、任意の方法でロープ接続部２３に取り付けられている。
【００５３】
［ロープ１０の連結］
【００５４】
ロープ１０をフック２０を介して連結構造８０に連結する手順が以下に解説される。釣人は、バット本体６０の後端部から、ロープ１０の先端に取り付けられたフック２０をエンドプラグ８１の内部空間８５に挿入する。前述された通り、内部空間８５において、連結バー８８が、バット本体６０の径方向に向かって配置され、仮想中心線４２から離隔距離４４だけオフセットされている。そのため、図４が示すように、内部空間８５は、連結バー８８により、広い第１領域９３と狭い第２領域９４とに区画されている。釣人は、フック２０を第１領域９３に通して、フック２０の先端が連結バー８８を越える程度の深さまで挿入する。続けて、釣人は、固定用レバー２２を連結バー８８に当接させて押圧する。このとき、釣人がフック２０を回転させると、固定用レバー２２が基端側を中心にして回動することで、フック本体２１が一時的に開放された状態となる。釣人は、押圧状態を維持しつつ、開放によって生じた隙間から、連結バー８８をフック本体２１の内側に進入させる。押圧状態が解除されることで、フック本体２１は再び閉じた状態となる。以上の手順により、連結バー８８とフック２０とが係合され、ロープ１０は、フック２０を介して連結構造８０に連結される。
【００５５】
［実施形態の作用効果］
【００５６】
連結バー８８にロープ１０が連結されることにより、実釣においてフィッシングロッド３０が保持され、万一フィッシングロッド３０が落水したとしても、釣人はロープ１０を手繰り寄せることによりフィッシングロッド３０を回収することができる。連結バー８８は、上記内部空間８５に収容され、バット３１の外部に突出していないので、連結構造８０がロッドアクションの妨げになることはない。同様の理由により、連結バー８８は、衝撃により傷つくことが少なく、海水等により腐食しにくい。また、連結バー８８は、揺れ動くことはないので、不快な異音を発生させることはない。さらに、連結バー８８は、両端がバット本体６０の第１円筒部８２に支持されているため、引張力により外れにくい。
【００５７】
また、エンドプラグ８１の第１円筒部８２及び第２円筒部８３によって内部空間８５が区画されるため、連結バー８８が収容される内部空間８５が容易に形成されると共に、連結構造８０の剛性が高く維持される。
【００５８】
また、連結バー８８が仮想中心線４２からオフセットされることで、第２領域９４に対して第１領域９３を広くすることができる。そのため、仮にフック２０の大きさに対してエンドプラグ８１の内部空間８５が多少狭くとも、釣人は、フック２０を第１領域９３の深部に通しやすくなり、フック２０を連結バー８８に係合させやすくなる。
【００５９】
［変形例］
【００６０】
前述の実施形態において、フィッシングロッド３０は、釣竿本体３２とバット３１とに分離可能となっているが、フィッシングロッド３０は、釣竿本体３２とバット３１とが一体に形成されたものであってもよい。その場合、ブランク３４は、バット３１の後端付近まで延出し、エンドプラグ８１は、ブランク３４に固定されていてもよい。
【００６１】
上述の実施形態において、内部空間８５はエンドプラグ８１によって形成されているが、他の方法によって内部空間８５が形成されてもよい。例えば、外装リング７２が直接加工されることで内部空間８５が形成されてもよい。
【００６２】
上述の実施形態において、ロープ１０と連結構造８０との連結にはフック２０が用いられるが、汎用的に使用される多くの種類の留め具や接続用の部材を連結構造８０に接続することができる。そのため、フック２０と異なる形状の留め具や接続用の部材が用いられてもよい。
【符号の説明】
【００６３】
３０・・・フィッシングロッド
３１・・・バット
３２・・・釣竿本体
３４・・・ブランク
３５・・・後端部
４１・・・軸方向
４２・・・仮想中心線
４３・・・仮想配置線
４４・・・離隔距離
６０・・・バット本体
６１・・・化粧リング
６２・・・メインパイプ
６３・・・第１グリップ
６４・・・第２グリップ
６５・・・前パイプ
６６・・・後パイプ
７１・・・化粧リング
７２・・・外装部材
７３・・・収容室
７４・・・後端
８０・・・連結構造
８１・・・エンドプラグ
８２・・・第１円筒部
８３・・・第２円筒部
８４・・・フランジ
８５・・・内部空間
８６・・・第３円筒部
８７・・・挿通孔
８８・・・連結バー
８９・・・凸条
９０・・・エンドキャップ
９１・・・凹条
９２・・・開口
９３・・・第１領域
９４・・・第２領域
【図１】
0005700281.tif 000002
【図２】
0005700281.tif 000003
【図３】
0005700281.tif 000004
【図４】
0005700281.tif 000005
【図５】
0005700281.tif 000006